(57)【要約】【課題】リアプロジェクタを薄型にして設置面積を小さくするとともに、スクリーンのみが載置台に載っているような外観を呈することにより、奥行き及び高さ寸法を小さくし、さらに、外観を向上させる。【解決手段】リアプロジェクタを本体１と本体１を載置する載置台２とから構成する。本体下部１ａに投射光学系を配置し、投射光学系から投射された画像光を本体上部１ｂの背面に傾斜して配置された反射ミラーで反射させ、反射された画像光を本体上部１ｂの前面に設けられたスクリーン１２に導いて表示する。このような構成において、奥行き方向の投射距離を短くするとともに高さ方向の投射距離を長くして据付面積が小さくなる薄型の本体１にする。これにより本体下部１ａが高くなるが、本体下部１ａを載置台２に埋め込んで設置する。これにより、高さ寸法を大きくすることなく薄型を可能とする。【選択図】図１
2008058739.tif 000002
【特許請求の範囲】
【請求項１】
画像光を生成して射出する投射光学系と、投射光学系から投射された画像光を反射させる反射ミラーと、反射ミラーで反射された画像光を一方の端面側から入射して他方の端面側から射出して画像を表示するスクリーンとを備えた本体と、本体を載置する載置台とからなり、
前記本体は、スクリーンが前面側に鉛直方向に配置されるとともに反射ミラーが背面側に配置された本体上部と、投射光学系が収納された本体下部とに区分され、
前記本体下部は、本体上部に比し奥行き寸法及び幅寸法が小さく形成されて、その下部が下方の載置台に埋め込むように載置されることを特徴とするリアプロジェクタ。
【請求項２】
前記載置台は、正面の幅寸法が本体上部の幅寸法と略同一に形成されていることを特徴とする請求項１記載のリアプロジェクタ。
【請求項３】
前記本体上部及び載置台は、それぞれ、正面形状が略四角形に形成されるとともに、正面から見た造形が一定幅の縁取りによりロの字型を描くように形成されていることを特徴とする請求項２記載のリアプロジェクタ。
【請求項４】
前記本体上部の下面と前記載置台の上面との間に隙間が形成されていることを特徴とする請求項３記載のリアプロジェクタ。
【請求項５】
前記縁取りの幅寸法と、前記本体上部の下面と前記載置台上面との間の隙間とが略同寸法に形成されていることを特徴とする請求項４記載のリアプロジェクタ。
【請求項６】
前記載置台は、本体下部が埋め込まれる凹部の下方部が物品収納スペースとして形成されていることを特徴とする請求項１〜５の何れか１項に記載のリアプロジェクタ。
【発明の詳細な説明】
【技術分野】
【０００１】
本発明は、リアプロジェクタに関り、特に、本体が載置台に載置される所謂スタンドセット式のリアプロジェクタに関する。
【背景技術】
【０００２】
一般にリアプロジェクタは、画像光を生成して射出する投射光学系と、投射光学系から射出された画像光を一方の端面側から入射して他方の端面側から射出して画像を表示するスクリーンとを有する。なお、このスクリーンは本体の前面側において鉛直方向に垂直に嵌め込まれている。
【０００３】
また、一般に、リアプロジェクタにおいて、スクリーンの背面側に投射光学系を配置して投射光学系からの画像光を直接スクリーンに導くようにすると、所定の投射距離が奥行き方向に必要になるため、本体の奥行き寸法が大きくなってしまう。そこで、投射光学系を前記スクリーンの下方に配置するとともに投射光学系から投射された画像光を反射してスクリーンに導く反射ミラーをスクリーンの背面側に配置し、投射光学系から投射される画像光を反射ミラーに導き、そして、反射ミラーで反射された画像光をスクリーンに導くものが一般的になっている。また、このようなリアプロジェクタは通常載置台に載せて使用される所謂スタンドセット式とされている。
【０００４】
これを図７〜図１０面を参照しながらより具体的に説明する。従来多くのリアプロジェクタは、本体１を載置台２の上に載せて使用するいわゆるスタンドセット式に構成される。また、本体１は、投射光学系１１が前記スクリーン１２の下方に配置されて、スクリーン１２より下方の本体下部１ａに収納される。そして、この投射光学系１１から投射された画像光を反射してスクリーン１２に導く反射ミラー１３がスクリーン１２の背面側に傾斜して配置されている。
【０００５】
従来のリアプロジェクタは、上記のように投射光学系１１から投射される画像光が反射ミラー１３に導かれ、反射ミラー１３に導かれた画像光は反射ミラー１３で反射されてスクリーン１２に導かれるようにしたものであって、このような構成とすることにより、奥行き方向の投射距離を短くして本体１の奥行き方向の寸法ｄを薄くしている。なお、このような構成のリアプロジェクタとしては、例えば、特許文献１、特許文献２などを挙げることができる。また、いわゆるスタンドセット方式の点については、例えば、非特許文献１を挙げることができる。
【特許文献１】特開平７−８４３１３号公報、ｐ２、図４
【特許文献２】特開２００３−２８００９３号公報
【非特許文献１】三洋電機株式会社のカタログ「液晶プロジェクションテレビ  ＰＴＶ−５５ＨＤ１(Ｋ）／ＰＴＶ−４５ＨＤ１（Ｋ）」、日本、三洋電機株式会社、２００５年９月
【発明の開示】
【発明が解決しようとする課題】
【０００６】
ところで、このようなリアプロジェクタにおいては、投射光学系１１からスクリーン１２に至る投射距離が反射ミラー１３の傾斜角度θに関係なく一定となる。したがって、反射ミラーの傾斜角度θを小さくした場合は、図７にスクリーン１２上のＡ，Ｂ，Ｃ点に対する各投射光路を２点鎖線で示すように、投射光学系１１から反射ミラー１３に至る投射距離ａ１，ｂ１，ｃ１が短くなって本体１の高さ寸法、特に本体下部１ａの高さ寸法ｈを低くすることができる。なお、スクリーン１２の大きさは一定のため本体上部１ｂの高さ寸法に変化はないものとしている。しかし、奥行き方向の投射距離ａ２，ｂ２，ｃ２が大きくなり本体１の奥行き方向の寸法ｄが比較的大きくなる。
【０００７】
反面、反射ミラー１３の傾斜角度θを大きくした場合は、図９にスクリーン上のＡ，Ｂ，Ｃ点に対する各投射光路を２点鎖線で示すように、奥行き方向の投射距離ａ２，ｂ２，ｃ２が短くなるので本体１を薄型にして据付面積を小さくする上で好都合となる。しかし、投射光学系１１から反射ミラー１３に至る投射距離ａ１，ｂ１，ｃ１が大きくなり、特に、投射光学系１１を収納する本体下部１ａの高さ寸法ｈが大きくなっていた。このため、反射ミラー１３の傾斜角度θを大きくして薄型のリアプロジェクタとした場合は、図９及び図１０に示すように、載置台２に載置した状態においては、本体下部１ａがスクリーン１２の下部ではっきり見える状態となり、載置台２との一体感が損われ不安定なイメージを与えるという問題があった。
【０００８】
本発明は、従来技術に存在するこのような問題点に着目してなされたものであって、リアプロジェクタを薄型にして設置面積を小さくするとともに、スクリーンのみが載置台に載っているような外観を呈することにより、奥行き寸法及び高さ寸法を小さくし、さらに、外観を向上させたリアプロジェクタを提供することを目的とする。
【課題を解決するための手段】
【０００９】
本発明に係るリアプロジェクタは、上記課題を解決するものであって、本体と、本体を載置する載置台とからなる。そして、本体には、画像光を生成して射出する投射光学系と、投射光学系から投射された画像光を反射させる反射ミラーと、反射ミラーで反射された画像光を一方の端面側から入射して他方の端面側から射出して画像を表示するスクリーンとが設けられている。また、前記本体は、スクリーンが前面側に鉛直方向に配置されるとともに反射ミラーが背面側に配置された本体上部と、投射光学系が収納された本体下部とに区分されている。さらに、前記本体下部は、本体上部に比し奥行き寸法及び幅寸法が小さく形成されて、その下部が下方の載置台に埋め込むように載置される。
【００１０】
このような構成上の特徴を有する本発明に係るリアプロジェクタによれば、投射光学系を収納する本体下部の高さ寸法を高くして据付面積を小さくした薄型の本体としても、本体下部の下部が載置台に埋め込まれる。したがって、スクリーンのみが載置台に載っているような外観を呈するように形成することができる。また、このようにすることいより、本体の高さ寸法が大きくなったことを感じさせずに小型化された印象を与えることができるとともに、載置台と一体感のある調和のとれたスタイルを実現することができる。
【００１１】
また、前記載置台は、正面の幅寸法が本体上部の幅寸法と略同一に形成することが好ましい。このようにすれば、本体と載置台との一体感をより一層引き立たせることができる。
【００１２】
また、前記本体上部及び載置台は、それぞれ、正面形状が略四角形に形成されるとともに、正面から見た造形が一定幅の縁取りによりロの字型を描くように形成されていることが好ましい。このように構成すれば、スクリーンのみが載置台の上に載っている印象をより強調することができる。これにより載置台とのより一層の調和が図れる。
【００１３】
また、前記本体上部の下面と前記載置台上面との間に隙間が形成されていることが好ましい。このようにすると、本体と載置台との区切りを明確にすることができるので、スクリーンのみが載置台の上に載っている印象をより強調することができる。
【００１４】
また、前記縁取りの幅寸法と、前記本体上部の下面と前記載置台上面との間の隙間とが略同寸法に形成されていることが好ましい。これにより、本体上部、隙間、及び載置台のバランスが良好になり本体下部との一体感、及び安定感を向上させることができる。
【００１５】
また、前記載置台は、本体下部が埋め込まれる凹部の下方部が物品収納スペースとして形成されていることが好ましい。一般的には本体下部の高さ寸法は載置台の高さ寸法に比し小さくなるので、載置台における本体下部の埋込部の下方部にスペースが生ずる。また、このスペースを物品収納スペースとすることにより、ビデヲデッキ、ＤＶＤプレーヤなどのシステム機器を設置することができ、利便性が向上する。
【発明の効果】
【００１６】
本発明によれば、いわゆるスタンドセット方式のリアプロジェクタにおいて、投射光学系を収納する本体下部を載置台に埋め込むことにより、本体の奥行き寸法を小さくし投射光学系を収納する本体下部の高さ寸法を大きくしても、載置台の上にはスクリーンのみが載っているような外観を呈するようにしている。したがって、高さ寸法を大きくすることなく、薄型にして据付面積を小さくすることができる。また、載置台と一体感のある調和のとれたスタイルを実現することができる。
【発明を実施するための最良の形態】
【００１７】
以下、本発明の実施の形態に係るリアプロジェクタについて、図面に基づき説明する。
実施の形態１に係るリアプロジェクタは、図３の側断面図で見ると最も良くわかるように本体１と本体１を載置する載置台２とからなる。
【００１８】
本体１は、図９に示した従来のものと略同一であって、図１及び図２に示すように、本体下部１ａと本体上部１ｂとを有する。本体下部１ａには、図３に示すように画像光を生成して射出する投射光学系１１が配置されている。また、本体上部１ｂには、投射光学系１１から投射された画像光を反射する反射ミラー１３と、反射ミラー１３で反射された画像光を一方の端面側から入射して他方の端面側から射出して画像を表示するスクリーン１２とが配置されている。この場合において、反射ミラー１３は本体上部１ｂの背面に傾斜して配置され、一方、スクリーン１２は本体上部１ｂの前面において鉛直方向に配置されている。
【００１９】
また、図３にスクリーン１２のＡ，Ｂ，Ｃ点に対する投射光路を２点差線で示す。この図に示すように、本体１は、図９のものと同様にように、反射ミラー１３の傾斜角度θを小さくすることにより、投射光学系１１から反射ミラー１３に至る投射距離ａ１，ｂ１，ｃ１を大きくするとともに、反射ミラー１３からスクリーン１２までの奥行き方向の投射距離ａ２，ｂ２，ｃ２を小さくしている。このため本体１の奥行き方向の寸法ｄ（これは本体上部１ｂの奥行き寸法でもある）は小さく形成され、その分本体下部１ａの高さ寸法ｈは大きく形成されている。
【００２０】
次に、本体の形状について述べる。本体上部１ｂの背面は、傾斜して配置された反射ミラー１３に沿った形状にされ、本体上部１ｂの前面は、図４に示すように、所定幅の縁取り１５を形成し、その内部が鉛直に配置されたスクリーン１２により占められている。また、本体下部１ａは、図１からよく分かるように、本体上部１ｂに比し奥行き寸法及び幅寸法が小さい直方体に形成されている。したがって、本体１全体の形状は、本体上部１ｂから一回り平面形状の小さい本体下部１ａが下方に突出した形態なっている。
【００２１】
一方、載置台２は、図１等に示すように、木材などにより左右方向に長い直方体の箱状に形成されている。上面２１は木材で塞がれているが、その中央部には平面形状が長方形の凹部２２が形成されている。載置台２の幅寸法Ｗは、本体の幅寸法Ｗと略同一とされている。
【００２２】
上面２１の凹部２２は、本体１を載置台２の上部に設置する際に、本体下部１ａの下部の大部分を埋め込むためのものである。したがって、凹部２２の平面形状は本体下部１ａの平面形状に略同一に形成されている。また、凹部２２の深さは、図３等に示すように、本体下部１ａをこの凹部２２に嵌めて埋め込んだときに、本体上部１ｂの下面と載置台２の上面２１との間に所定の隙間Ｓが残るように形成されている。所定の隙間Ｓは、前述の本体上部１ｂにおける前面の縁取り１５と略同一寸法に形成されている。また、載置台２における凹部２２の下方部は、凹部２２の下面の位置２３で上下に仕切られて物品収納スペース２４とされている。
【００２３】
載置台２の前面は、本体上部１ｂの前面と同様に縁取り２５が形成されている。縁取り２５の幅寸法は本体上部１ｂの縁取り１５と同一幅寸法に形成されている。また、載置台２の下方部の前面、すなわち、物品収納スペース２４の前面部は、縁取り２５を残して前面に開放されている。物品収納スペース２４部分の縁取り２５は載置台２を構成する木材の断面により形成されている。また、載置台２の上方部の前面部は、載置台２を形成する木材の表面を所定厚さ寸法削り取ることにより縁取り２５を形成している。また、この削り取られた後には、模様、色等が異なる別部材の板材２６が貼り付けられて、縁取り２５を際立たせるようにしながら前面が面一となるように形成されている。
【００２４】
次に以上のように構成された本実施の形態に係るリアプロジェクタによれば次のような効果を奏することができる。
本実施の形態に係るスタンドセット方式のリアプロジェクタによれば、投射光学系１１を収納する本体下部１ａを載置台２に埋め込むことにより、本体１の奥行き寸法を小さくし投射光学系１１を収納する本体下部１ａの高さ寸法を大きくしても、載置台２の上にはスクリーン１２のみが載っているような外観を呈するようにしている。したがって、高さ寸法を大きくすることなく、薄型にして据付面積を小さくすることができる。また、載置台２と一体感のある調和のとれたスタイルを実現することができる。
【００２５】
また、載置台２は、正面の幅寸法Ｗが本体上部の幅寸法Ｗと略同一に形成されているので、本体１と載置台２との一体感をより一層引き立たせることができる。
また、本体上部１ｂ及び載置台２は、それぞれ、正面形状が略四角形に形成されるとともに、正面から見た造形が一定幅の縁取り１５，２５によりロの字型を描くように形成されているので、スクリーン１２のみが載置台２の上に載っている印象をより強調することができる。これにより本体１と載置台２とのより一層の調和を図ることができる。
【００２６】
また、本体上部１ｂの下面と載置台２の上面との間に隙間Ｓが形成されているので、本体１と載置台２との区切りを明確にすることができる。このため、スクリーン１２のみが載置台２の上に載っている印象をより強調することができる。
【００２７】
また、本体上部１ｂ及び載置台２の縁取り１５、２５の幅寸法と、本体上部１ｂの下面と載置台２の上面２１との間の隙間Ｓとが略同寸法に形成されているので、本体上部１ｂ、隙間Ｓ、及び載置台２のバランスが良好になり、本体下部１ａと載置第２との一体感、及び安定感を良好にすることができる。
【００２８】
また、載置台２は、本体下部１ａが埋め込まれる凹部２２の下方部が物品収納スペース２４として形成されているので、この物品収納スペース２４を利用してビデヲデッキ、ＤＶＤプレーヤなどのシステム機器を設置することができ、利便性が向上する。なお、一般的には本体下部１ａの高さ寸法ｈは載置台２の高さ寸法に比し小さくなるので、載置台２における凹部２２の下方部にスペースが生ずる。
【００２９】
（変形例）
上記実施の形態において以下のように変更することもできる。
（１）上記実施の形態においては、載置台２の前面を、本体下部１ａの前面と同様に縁取り２５によりロの字型に形成しているが、図５及び図６に示すように、この縁取り２５を廃止したものとしても、本体下部１ａを載置台２に埋め込むことにより本体１を薄型として据付面積を小さくすることができる。また、この場合もスクリーン１２のみが載置台２の上に載っているような外観を呈することができる。
【００３０】
（２）上記実施の形態において、載置台２は木材により形成されているが、載置台２の材料は木材に拘るものではなく合成樹脂等の他の材料により形成してもよい。同様に、本体１の外装についても特別の材料に拘るものではない。
【図面の簡単な説明】
【００３１】
【図１】本発明の実施の形態に係るリアプロジェクタの分解斜視図である。
【図２】同リアプロジェクタ外観斜視図である。
【図３】同リアプロジェクタの側断面図であって、図４におけるＩＩＩ−ＩＩＩ断面図に相当する。
【図４】同リアプロジェクタの正面図である。
【図５】変形例にかかるリアプロジェクタの側断面図であって、図６におけるＶ−Ｖ断面図に相当する。
【図６】同リアプロジェクタの正面図である。
【図７】従来例に係るリアプロジェクタの側断面図であって、図８におけるＶＩＩ−ＶＩＩ断面図に相当する。
【図８】同リアプロジェクタの正面図である。
【図９】他の従来例に係るリアプロジェクタの側断面図であって、図１０におけるＩＸ−ＩＸ断面図に相当する。
【図１０】同リアプロジェクタの正面図である。
【符号の説明】
【００３２】
Ｗ…幅寸法、Ｓ…隙間、１…本体、１ａ…本体下部、１ｂ…本体上部、２…載置台、１１…投射光学系、１２…スクリーン、１３…反射ミラー、１５，２５…縁取り、２１…上面、２２…凹部、２４…物品収納スペース。
【図１】
2008058739.tif 000003
【図２】
2008058739.tif 000004
【図３】
2008058739.tif 000005
【図４】
2008058739.tif 000006
【図５】
2008058739.tif 000007
【図６】
2008058739.tif 000008
【図７】
2008058739.tif 000009
【図８】
2008058739.tif 000010
【図９】
2008058739.tif 000011
【図１０】
2008058739.tif 000012